(57)【特許請求の範囲】
【請求項１】
品質測定に対する優先度情報をベアラの優先度情報に加えて受信する受信手段と、
前記品質測定に対する優先度と、通信を行う前記ベアラの優先度との比較結果に基づいて、前記品質測定に対する優先度が低い場合には、ギャップ期間を再送及び通信期間として使用することを判定する判定手段と、
を具備する無線通信端末装置。
【請求項２】
品質測定に対する優先度情報をベアラの優先度情報に加えて受信する受信手段と、
前記品質測定に対する優先度と、通信を行う前記ベアラの優先度との比較結果に基づいて、ギャップ長の変更の要否を判定する判定手段と、
を具備する無線通信端末装置。
【請求項３】
前記判定手段は、前記品質測定に対する優先度が低い場合には、ギャップ長を短くすると判定する請求項２記載の無線通信端末装置。
【請求項４】
基準パラメータに基づいて、ギャップ長を変更すると前記判定手段によって判定された場合、ギャップオフ期間パラメータを用いて、ギャップ長を短く変更するギャップ変更手段を具備する請求項２記載の無線通信端末装置。
【請求項５】
前記判定手段は、前記基準パラメータを再送回数として、ギャップ長の変更の要否を判定する請求項４記載の無線通信端末装置。
【請求項６】
前記判定手段は、前記基準パラメータを品質測定報告として、ギャップ長の変更の要否を判定する請求項４記載の無線通信端末装置。
【請求項７】
品質測定に対する優先度とベアラの優先度を受信するステップと、
前記品質測定に対する優先度と、通信を行う前記ベアラの優先度とを比較するステップと、
前記品質測定に対する優先度が低い場合には、ギャップ期間を再送及び通信期間として使用することを判定するステップと、
を具備するギャップ割当方法。
【発明の詳細な説明】
【技術分野】
【０００１】
本発明は、無線通信端末装置及びギャップ割当方法に関する。
【背景技術】
【０００２】
セルラー通信システム（例えば、Long-term Evolution (LTE)）において、移動局はアクティブ（Active）状態（すなわち、RRCの状態におけるRRC_Connected）の移動制御（ハンドオーバ）に対応するため、周波数間及びシステム間の測定（以下、「ギャップ支援測定」という）を行うことが要求される。ギャップ支援測定を実行するために、移動局は異なるキャリア周波数のセル又は異なるシステムのセルから信号を受信できるよう、隣接セルの周波数、または異なるシステムにおけるセルの周波数に受信機を再調整する必要がある。
【０００３】
移動局が他の隣接セルに対してこれらの測定を実行するために、ある種のアイドル期間（以下「ギャップ」という）を移動局に設ける必要がある。同様に、基地局がギャップ期間中に移動局にデータを送信しないよう、基地局と移動局との間でギャップの同期をとる必要がある。
【０００４】
セルラー通信システムにおいて、ギャップ（端末が基地局からの制御信号、データを受ける必要のない期間）はネットワーク（以下、「基地局」とする）によって制御され、基地局が移動局に対してギャップを割り当てる。なお、ギャップ支援測定に複数のギャップが必要になることがあり、このような場合にはギャップを繰り返し割り当てることになる。繰り返し割り当てられたギャップはパターンを形成することから、複数ギャップをギャップパターンという。
【０００５】
移動局は、割り当てられたギャップパターンを長期間にわたって用いるので、ギャップパターン割り当て期間に基づいて、ギャップ支援測定を実行することによって、異なるキャリア周波数又は異なるシステムに対するアクティブ状態の移動制御を行うことができる。
【０００６】
ところで、セルラー通信システムにおいて、移動局の無線状態の良否は、移動局が基地局付近に存在するか、またはセル境界に存在するかなど、多くの要因に依存して変わる。アクティブ状態の移動局の場合、劣悪な無線状態ではサービス品質は劣化する。そこで、許容範囲内のサービス品質を保証するため、ある種の再送方式を設定する必要がある。例えば、ハイブリッド自動再送要求（Hybrid Automatic Repeat request (HARQ)）方式などを用いることにより、移動局はパケットデータの送受信を正しく実行することができるようになる。
【０００７】
ＨＡＲＱ再送方式では、上り送信データ又は下り送信データが伝搬路状況などにより正しく届かなかった場合に再送を行うための動作が、移動局と基地局の双方に規定されている。なお、ＨＡＲＱ再送方式の設計を容易にするため、再送タイミングを固定とすることも可能であり、上り送信には固定の再送タイミングが使用されている。
【０００８】
セルラー通信システムでは、基地局が移動局にギャップパターンを割り当て、そのギャップパターンが有効な期間継続する。上り送信における再送は、ＮＡＣＫ信号、またはＮＡＣＫ信号の送信タイミングでGRANTメッセージ（上りの送信を許可するメッセージであり、移動局が利用するリソース等を通知する）を受信した移動局によって行われる。移動局又は基地局による再送は、伝搬路中の条件に応じて開始され、再送の動作はギャップパターンの期間と比べると短期間で変動する。
【０００９】
ギャップ割り当て及び再送についてはこのような性質があるので、移動局では、ギャップ割り当てと再送とのタイミングが重複することもある。特に、リアルタイムサービス（例えば音声通信）の場合、珍しくない。このように、移動局に対するギャップ割り当てと移動局の再送処理については検討を要する。
【特許文献１】米国特許第６２０１９６６号明細書
【特許文献２】米国特許出願公開第２００５０２１３５７５号明細書
【発明の開示】
【発明が解決しようとする課題】
【００１０】
上述したように、移動局が異なる周波数又は異なるシステムの測定を実行するためにはギャップが必要となる。一般に、移動局による測定プロセスをより高速に完了できるようにギャップ長をできるだけ長くすると、移動局は測定に多くの時間を費やすことができる。これにより、短いギャップ長を設定する場合に比べ、移動制御のための遅延時間を結果として短縮することができる。しかしながら、長いギャップ長を設定すると、再送回数を少なくする必要があるにもかかわらず、上り回線における再送回数は移動局の最大送信可能電力に依存するため、上り回線における再送回数を削減することができない。よって、ギャップ長を単に長く設定することは困難である。
【００１１】
本発明はかかる点に鑑みてなされたものであり、測定プロセスを高速に完了すると共に、再送回数を削減する無線通信端末装置を提供することを目的とする。
【課題を解決するための手段】
【００１２】
本発明の無線通信端末装置は、品質測定に対する優先度情報をベアラの優先度情報に加えて受信する受信手段と、前記品質測定に対する優先度と、通信を行う前記ベアラの優先度との比較結果に基づいて、前記品質測定に対する優先度が低い場合には、ギャップ期間を再送及び通信期間として使用することを判定する判定手段と、を具備する構成を採る。
【００１３】
本発明のギャップ割当方法は、品質測定に対する優先度とベアラの優先度を受信するステップと、前記品質測定に対する優先度と、通信を行う前記ベアラの優先度とを比較するステップと、前記品質測定に対する優先度が低い場合には、ギャップ期間を再送及び通信期間として使用することを判定するステップと、を具備するようにした。
【発明の効果】
【００１４】
本発明によれば、測定プロセスを高速に完了すると共に、再送回数を削減することができる。
【発明を実施するための最良の形態】
【００１５】
以下、本発明の実施の形態について、図面を参照して詳細に説明する。ただし、実施の形態において、同一機能を有する構成には、同一符号を付し、重複する説明は省略する。
【００１６】
（実施の形態１）
本発明の実施の形態１に係る移動局の構成について、図１を用いて説明する。図１において、受信部１０５は、基地局から個別制御シグナリングを介して送信された測定設定情報及びギャップ制御設定情報を受信し、ギャップ設定部１１０に出力する。ここで、測定設定情報とは、移動局が自分の属しているセルや隣接セルなどを測定するための情報であり、測定の種類（同一周波数測定、異周波測定、異システム測定）、測定方法（受信すべき信号の強度をベースにするか、干渉も考慮するか等）、報告契機（どのようなタイミングで測定結果を報告するか）等の情報を示すものである。また、ギャップ制御設定情報とは、ギャップを作成するためのものであり、ギャップを開始するタイミング、ギャップの長さ、ギャップ間の間隔等を含む。ここでは、これらのギャップを構成する基本情報をギャップパラメータと定義する。また、ギャップパラメータに含まれるギャップ長の変更に用いるギャップオフ期間「G_Off_Duration」、ギャップ作成基準情報もこのギャップ制御設定情報に含まれる。なお、上記の情報は直接その値を通知するのではなく、それらの値のパターンを示すインデックスをテーブル等で管理し、インデックスのみで通知するようにしてもかまわない。また、基地局から送信されたＮＡＣＫなどの制御シグナリングを受信し、ギャップ長変更判定部１１５に出力する。
【００１７】
ギャップ設定部１１０は、受信部１０５から出力された測定設定情報及びギャップ制御設定情報を記憶し、記憶した設定情報をギャップ長変更判定部１１５に出力する。
【００１８】
ギャップ長変更判定部１１５は、ギャップ設定部１１０から通知されたギャップ制御設定情報に含まれるギャップ制御基準情報に基づいて、ギャップ長の変更が必要か否かを決定する。この決定には、受信部１０５から通知されるＮＡＣＫなどの制御シグナリングを用いる。これらのギャップ制御基準の対象となる応報を基準パラメータと呼ぶ。基準パラメータの確認の結果、ギャップ制御情報に示される基準を満たさない場合、ギャップ長変更判定部１１５はギャップ長を変更しないままギャップパラメータをギャップパターン設定部１２０に出力する。一方、基準を満たす場合、ギャップ長変更判定部１１５はギャップ変更のためにギャップパラメータとギャップオフ期間「G_Off_Duration」をギャップ変更部１２５に出力する。なお、基準パラメータとしては、再送平均回数、再送回数（＝ＮＡＣＫ数）、パスロス制御、パスロスとＮＡＣＫ数との組み合わせ、ＮＡＣＫとＡＣＫの比率、移動局フェージング信号（＝移動局速度）、再送平均回数のリセット試行回数、平均期間あるいは送信エラーレートなどがある。また、ギャップ長変更の要否を判定する基準は、応答信号生成部１４０から出力された応答信号に基づいて変更されてもよい。
【００１９】
ギャップ変更部１２５は、ギャップ長変更判定部１１５から出力されたギャップパラメータとギャップオフ期間「G_Off_Duration」を用いて、ギャップの開始を遅延させる変更ギャップ長を計算する。変更ギャップ長はギャップパターン設定部１２０に出力される。
【００２０】
ギャップパターン設定部１２０は、ギャップ長変更判定部１１５から出力されたギャップパラメータ及びギャップ変更部１２５から出力された変更ギャップ長に基づいて、ギャップパターンを設定し、測定部１３０に出力する。
【００２１】
測定部１３０は、ギャップパターン設定部１２０から出力されたギャップパターンを用いてギャップを作成し、ギャップにおいて入力される物理レイヤの基準信号を測定する。また、測定部１３０は、ギャップ開始の前に応答信号生成部１４０にギャップ開始を通知し、応答信号生成部１４０がギャップの期間に送信処理などを行わないようにする。測定部１３０は、ギャップ支援測定プロセスを完了した場合、応答信号生成部１４０にギャップの終了を通知する。また、測定結果が得られた場合、測定結果を測定通知部１４５に出力する。
【００２２】
応答信号生成部１４０は、測定部１３０からギャップ終了を示す信号の通知を受け、基地局に送信を開始する。また、応答信号生成部１４０は、現在の無線状態（例えば高品質か低品質か）を示すような応答信号をギャップ長変更判定部１１５に出力する。なお、上述した通り、測定部１３０がギャップ支援測定を行うギャップ期間では、応答信号生成部１４０から基地局への送信などは行わない。
【００２３】
測定通知部１４５は、測定部１３０から出力された測定結果に基づいて測定通知を作成し、個別制御シグナリングを用いて基地局に送信する。
【００２４】
ここで、以下に具体的な基準パラメータを挙げ、各基準パラメータにおけるギャップオフ期間「G_Off_Duration」の用い方について簡単に説明する。
【００２５】
（１）基準パラメータが再送平均回数
基地局は、再送平均回数パラメータを移動局に提供する。移動局は、この再送平均回数パラメータを設定して再送平均回数をある期間監視し、ギャップ長変更判定部１１５でギャップオフ期間「G_Off_Duration」を設定するか否かを決定する。ある期間での再送平均回数が再送平均回数パラメータより多い場合、ギャップ変更部１２５で設定するギャップオフ期間「G_Off_Duration」を用いて、ギャップの開始タイミングを遅延させ、これにより、ギャップパターンのギャップ長を小さくする。具体的には、ギャップオフ期間「G_Off_Duration」で指定されている期間分ギャップの開始タイミングが遅くなる。
【００２６】
（２）基準パラメータが再送回数（ＮＡＣＫ数）
基地局は、ＮＡＣＫ閾値パラメータを移動局に提供する。移動局は、このＮＡＣＫ閾値パラメータを設定してギャップ長変更判定部１１５でギャップオフ期間「G_Off_Duration」を設定するか否かを決定する。再送回数がＮＡＣＫ閾値パラメータより多い場合、ギャップパターンのギャップ長を小さくする。
【００２７】
（３）基準パラメータがパスロス
基地局は、パスロスパラメータを移動局に提供する。移動局は、このパスロスパラメータを設定して上り回線の無線状態を伝播ロスによる測定にし、ギャップ長変更判定部１１５でギャップオフ期間「G_Off_Duration」を設定するか否かを決定する。上り回線の無線状態がパスロスパラメータより高い数値の場合、ギャップパターンのギャップ長を小さくする。
【００２８】
（４）基準パラメータがパスロスとＮＡＣＫ数の組み合わせ
基地局は、ＮＡＣＫ閾値やパスロス制御のような基準パラメータを移動局に提供する。移動局は、パスロスとＮＡＣＫ数とを同時に測定するよう基準パラメータを設定し、ギャップ長変更判定部１１５のギャップオフ期間「G_Off_Duration」を設定するか否かを決定する。ＮＡＣＫ閾値とパスロス制御パラメータが同時に基準を満たす場合に、ギャップパターンのギャップ長を小さくする。
【００２９】
（５）基準パラメータがＮＡＣＫとＡＣＫの比率
基地局は、比率制御パラメータを移動局に提供する。移動局は、この比率制御パラメータを設定してＮＡＣＫとＡＣＫの比率を監視し、ギャップ長変更判定部１１５のギャップオフ期間「G_Off_Duration」を設定するか否かを決定する。ＮＡＣＫとＡＣＫの比率が比率制御パラメータより高い場合に、ギャップパターンのギャップ長を小さくする。
【００３０】
（６）基準パラメータが移動局フェージング信号（移動局速度）
基地局は、フェージング制御範囲パラメータを移動局に提供する。移動局は、このフェージング制御範囲パラメータを再送回数と一致するように設定し、ギャップ長変更判定部１１５のギャップオフ期間「G_Off_Duration」を設定するか否かを決定する。移動局フェージング信号の数値がフェージング制御範囲パラメータを上回る場合に、ギャップパターンのギャップ長を小さくする。
【００３１】
（７）基準パラメータが再送平均回数のリセット試行回数
基地局は、リセット閾値パラメータを移動局に提供する。再送平均回数ごとに異なるリセット閾値を使用する。移動局は、このリセット閾値パラメータを設定し、ギャップ長変更判定部１１５のギャップオフ期間「G_Off_Duration」を設定するか否かを決定する。リセット試行回数がリセット閾値パラメータより多い場合に、ギャップパターンのギャップ長を小さくする。
【００３２】
（８）基準パラメータが平均期間の決定
基地局は、平均期間パラメータを移動局に提供する。状況によって期間は異なる。例えば、高い移動制御、劣悪な品質、長い割り当てに対しては短い平均期間を設定する。移動局は、この平均期間パラメータを設定して平均期間内に再送平均回数を監視し、ギャップ長変更判定部１１５のギャップオフ期間「G_Off_Duration」を設定するか否かを決定する。平均期間内の再送回数が平均期間パラメータより多い場合に、ギャップパターンのギャップ長を小さくする。
【００３３】
（９）基準パラメータが送信エラーレート
基地局は、エラーレート制御パラメータを移動局に提供する。移動局は、エラーレート制御パラメータを設定して各移動局の動作ごとに送信エラーレートを監視し、ギャップ長変更判定部１１５のギャップオフ期間「G_Off_Duration」を設定するか否かを決定する。送信エラーレートがエラーレート制御パラメータより高い場合に、ギャップパターンのギャップ長を小さくする。
【００３４】
なお、上記に示す例を組み合わせた動作も可能である。その場合の動作として、ギャップオフ期間「G_Off_Duration」を適用するか否かのテーブルを基地局と移動局とに備えることが考えられる。具体的には、“再送平均回数＞基準以上、パスロス＞基準以上”、“再送平均回数＜基準以上、パスロス＞基準以上”はギャップオフ期間「G_Off_Duration」を適用、“再送平均回数＞基準以上、パスロス＜基準以上”、“再送平均回数＞基準以上、パスロス＞基準以上”はギャップオフ期間「G_Off_Duration」を適用しないなどである。ここでは、二つのみを使う例を示したが三つ以上を用いることも可能である。なお、このテーブルは基地局と移動局とで最初から備えるように仕様で決めることも可能であるし、基地局から移動局に都度設定することも可能である。
【００３５】
次に、本発明の実施の形態１に係る基地局の構成について、図２を用いて説明する。図２において、測定設定部２１０は、移動局が測定を行うためのギャップを設けるための必要条件を決定し、ギャップパターン割当部２２０に出力する。また、測定設定部２１０は、周波数間又はシステム間の測定のための測定設定情報を決定し、それもギャップパターン割当部２２０に通知する。
【００３６】
ギャップパターン割当部２２０は、測定設定部２１０から出力された条件に基づいて、移動局に割り当てるギャップパラメータを決定する。ギャップパターン設定パラメータは、ギャップ長、ギャップ間隔、ギャップ開始時間などである。ギャップパラメータと測定設定情報はギャップオフ期間設定部２３０に出力される。
【００３７】
ギャップオフ期間設定部２３０は、ギャップパターン設定に対してギャップ長を変更するためのギャップオフ期間「G_Off_Duration」の規定長を計算する。測定設定情報、ギャップパラメータ及びギャップオフ期間「G_Off_Duration」は測定及びギャップ設定部２４０に出力される。
【００３８】
測定及びギャップ設定部２４０は、ギャップオフ期間設定部２３０から出力された測定設定情報、ギャップパラメータ、ギャップオフ期間「G_Off_Duration」及び基地局に設定されているその他の無線リソース管理情報等に基づいて、ギャップオフ期間「G_Off_Duration」をギャップ長に適用するためのギャップ作成基準情報を決定する。これにより、測定設定情報に加えて、ギャップ設定情報が全てそろうことになる。この測定設定情報とギャップ設定情報は、送信部２５０から個別制御シグナリングによって送信される。
【００３９】
図３は、本発明の実施の形態１に係る基地局及び移動局間のシグナリングフローの一例を示す図であり、再送回数をギャップ長変更の基準に使用した場合を示している。基地局（ＲＲＣ）は、測定設定部２１０、ギャップパターン割当部２２０、測定及びギャップ設定部２４０において測定設定情報とギャップ設定情報を決定し、送信部２５０で移動局にＲＲＣメッセージとして送信する。
【００４０】
移動局は受信部１０５で基地局からのＲＲＣメッセージを受信し、ギャップ設定部１１０で処理する。したがって、ギャップ制御設定情報のギャップパラメータ及びギャップオフ期間「G_Off_Duration」、ギャップ作成基準情報はギャップ設定部１１０に記憶される。
【００４１】
ギャップ長変更判定部１１５において、再送平均回数が再送平均回数パラメータを越えると判定された場合、移動局のギャップ変更部１２５においてギャップ変更を行って、ギャップパターン設定部１２０に出力する。一方、期間内の再送平均回数が再送平均回数パラメータ以下と判定された場合、移動局のギャップ長変更判定部１１５は、ギャップパターン設定のため直接ギャップパターン設定部１２０にギャップパラメータを出力する。
【００４２】
ギャップ変更部１２５は、ギャップオフ期間「G_Off_Duration」を用いて、現在設定されているギャップ長を変更、すなわち、開始時間の遅延を行う。これにより得られるギャップ長を変更ギャップ長という。
【００４３】
このように、ギャップ変更部１２５によって得られた新規の変更ギャップ長及びギャップ長変更判定部１１５からのギャップパラメータはギャップパターン設定部１２０に送られ、ギャップパターン設定が実行される。
【００４４】
例えば、ギャップパラメータはサブフレーム（subframe）数に基づいて、次のように設定されると考えられる。
【００４５】
ギャップパターン：ギャップ開始時間＝第５サブフレーム、ギャップ長＝２０サブフレーム、ギャップ間隔＝２０サブフレーム
ギャップオフ期間「G_Off_Duration」＝８サブフレーム
【００４６】
ここで、基準パラメータを満足する（例えば、一定期間の再送平均回数が再送平均回数パラメータを越える）場合、次のギャップ開始時間＝ギャップ開始時間＋ギャップオフ期間＝５＋８＝次の無線フレームの３サブフレーム目（ここでは、１無線フレームが１０サブフレームで構成されていると仮定)となる。
【００４７】
なお、図３では、測定設定情報、ギャップ制御設定情報、ギャップの開始の制御信号を基地局（ＲＲＣ）から移動局（ＲＲＣ）で通知し、ＮＡＣＫ信号は基地局（ＭＡＣ）から移動局（ＭＡＣ）への信号として示している。
【００４８】
しかしながら、基地局と移動局間の情報のやり取りは、ＲＲＣ、ＭＡＣでどのように分担してもよいし、他のプロトコルが介在してもよい。
【００４９】
図４は、ギャップオフ期間「G_Off_Duration」を用いて、ギャップ長を変更する手順を示すフロー図である。図４において、ステップ（以下、「ＳＴ」と省略する）４１０では、ギャップ長を変更するか否かの判定に用いる基準パラメータを受信部１１０にて受信し、ＳＴ４２０では、受信した基準パラメータを満たすか否かをギャップ長変更判定部１１５において確認する。ここでは、基準パラメータとして再送平均回数を用いる。すなわち、再送平均回数が再送平均回数パラメータを越える場合、ＳＴ４３０に移行し、再送平均回数が再送平均回数パラメータ以下の場合、ＳＴ４４０に移行する。
【００５０】
ＳＴ４３０では、ギャップ変更部１２５がギャップオフ期間「G_Off_Duration」を用いて、現在のギャップ長を変更することにより、次のギャップ開始時間が遅延する。
【００５１】
ＳＴ４４０では、ＳＴ４２０において再送平均回数が再送平均回数パラメータ以下と判定された場合、ギャップ長、ギャップ間隔、ギャップ開始時間など、現在のギャップパターン設定パラメータに基づいて、ギャップパターン設定部１２０がギャップパターン設定を実行する。また、ＳＴ４２０において再送平均回数が再送平均回数パラメータを越えると判定された場合、ギャップパターン設定部１２０が変更ギャップ長に基づいて、ギャップパターンを設定する。
【００５２】
このように実施の形態１によれば、基準パラメータに基づいて、ギャップ長変更の要否を判定し、ギャップ長を変更する場合には、ギャップオフ期間「G_Off_Duration」を用いて、現在のギャップ長を変更することにより、次のギャップ開始時間を遅延することにより、測定プロセスを高速に完了することができ、また、再送回数を削減することができる。
【００５３】
（実施の形態２）
本発明の実施の形態２では、移動局がギャップオフ期間「G_Off_Duration」を用いて、再送の優先順位付けを行う場合について説明する。移動局が現在接続している周波数のエリアのエッジに存在する場合や高速で移動している場合など、移動局と基地局との接続を確かなものにするために異周波数測定、異システム測定を行うためにギャップを必要とする。
【００５４】
図５は、本発明の実施の形態２に係るギャップ割り当てと再送の優先順位付けを行うシグナリングの様子を示す図である。この図では、基地局はサービスを提供するベアラ（bearer）を設定し、その後、測定設定情報とギャップ制御設定情報を設定している。また、この際に、ベアラの優先順位と測定設定情報とギャップ制御設定情報によって行われる測定の優先順位を示す情報がそれぞれ同時に個別制御シグナリングによって移動局に送信されている。基地局は、各ベアラに対してサービス品質に基づいて優先順位情報を割り当てる。また、基地局は、測定用ギャップを必要とする測定の必要性に応じて優先順位情報を割り当てる。ここで、測定の必要性とは、前述のように、移動局が現在接続している周波数のエリアのエッジに位置し、他のセルを見つけるには異周波数測定を行わなければいけない場合などでは必要性は高くなるし、逆に、現在接続している周波数帯でもまだサービスが受けられる場合には必要性は低くなる。これにより、移動局と基地局との接続を維持することを目的とする。ここで、ベアラと測定に割り当てられた優先順位情報は単純に比較可能なものであり、例えば、ベアラの優先度が１、測定の優先度が３の場合には、ベアラを優先といった比較が可能である。
【００５５】
移動局は、これらの情報を受信及び記憶し、ベアラの優先度と測定の優先度を比較し、測定の優先度の方が低い場合のみ、実施の形態１で示したようなギャップの開始タイミングの変更処理を行う。
【００５６】
図６は、本発明の実施の形態２に係る基地局及び移動局間のシグナリングフローの一例を示す図である。基地局は、「最低無線品質閾値」とも称する無線品質閾値を個別制御シグナリングによって移動局に送信する。この最低無線品質閾値は、移動局が測定を優先しなくてはいけないか否かを判断するものであり、ここで示されている閾値を下回った場合には、優先的に測定を行うものである。すなわち、最低無線品質閾値によって、例えば、移動局が現在接続している周波数のエリアのエッジに位置していると判断ができるようになる。移動局が測定した無線品質が無線品質閾値より高い場合、移動局はギャップオフ期間「G_Off_Duration」を設定することによって再送の優先順位付けを行い、現在のギャップ長を変更する。一方、移動局が測定した無線品質が無線品質閾値より低い場合、移動局は再送を考慮してギャップ長を変更する代わりに、測定用のギャップ割り当ての優先順位付けを行う。
【００５７】
図７は、発明の実施の形態２に係る移動局の構成を示すブロック図である。ただし、ここでは、図１と異なる点についてのみ説明する。
【００５８】
図７において、ギャップ優先判定部７１０は、ギャップ長を変更することなく次のギャップ長をより長い測定時間に設定するか、または、再送のためギャップオフ期間「G_Off_Duration」を設定することによって次のギャップ長を変更するかの優先順位付けを行う。ギャップ優先判定部７１０における測定優先順位付け方式は、図５及び図６に示したように、優先順位、無線品質閾値、またはその両方を用いて実施してよい。
【００５９】
測定通知部７２０は、測定結果をギャップ優先判定部７１０に通知する。
【００６０】
図８は、移動局によるギャップ割り当てと再送の優先順位付け処理の手順を示すフロー図である。ただし、ここでも、図４と異なる点についてのみ説明する。
【００６１】
図８では、ＳＴ４２０において、ギャップ作成基準が満たされる場合、ＳＴ７３０に移行する。ギャップ割り当てに対して高い優先順位付けが行われた場合には、移動局はギャップ長を変更することなしにＳＴ４４０に移行する。再送に対して高い優先順位付けを行うと移動局はギャップオフ期間「G_Off_Duration」を設定し、ギャップ長を変更する。なお、ＳＴ７２０における比較処理とＳＴ４２０の比較処理を逆の順番で行うことも可能である。
【００６２】
このように実施の形態２によれば、移動局がギャップオフ期間「G_Off_Duration」を用いて、再送とギャップ作成の優先順位付けを行うことにより、サービスを優先したい状況では再送が優先されることでサービスの品質がよくなり、測定を優先する時にはギャップが優先されることで確実に測定ができるようになる。このように、移動局の状況に応じて最適な動作を選択することが可能となる。
【００６３】
（実施の形態３）
図９は、本発明の実施の形態３に係る再送平均回数の最大値をシグナリングする様子を示す図である。この図では、基地局が、最大再送平均回数パラメータ（以下、「Max_HARQ_Re-transmission」という）を個別制御シグナリングによって移動局に送信する。この最大再送平均回数「Max_HARQ_Re-transmission」は移動局で処理され、この情報をスケジューリング方法の変更に用いる。
【００６４】
具体的には、一定期間内の再送平均回数が最大再送平均回数「Max_HARQ_Re-transmission」より多い場合、移動局は、例えば、固定スケジューリング方法から動的スケジューリング方法に変更する。基本的に固定スケジューリング方法では、指定されたタイミングのみ送受信を行う。ここで、ギャップを用いることにより、さらに送受信するタイミングが減ってしまうと、送受信に用いるリソースがさらに減少してしまう。
【００６５】
そこで、移動局は、動的スケジューリング方法を使用し、ギャップ期間以外の全てのタイミングで送受信すると、基地局は移動局がサポートしているサービスを保証するため、より多くの無線リソースを割り当てることができる。このため、移動局はギャップ変更をすることなくギャップ支援測定を実行するが可能となる。移動局は、測定通知が作成されるまで基地局による動的無線リソースと割り当てたギャップ長の設定を継続する。測定通知後に、移動局は動的スケジューリング方法から固定スケジューリング方法に変更する。
【００６６】
図１０は、移動局がスケジューリング方法を変更及び再実行する手順を示すフロー図である。ただし、ここでは、図４と異なる点についてのみ説明する。
【００６７】
ＳＴ４１０では、移動局の受信部が最大再送回数「Max_HARQ_Re-transmission」を受信及び記憶し、ＳＴ９１０では、移動局のギャップ長変更判定部１１５が一定の期間内の再送平均回数が最大再送平均回数「Max_HARQ_Re-transmission」より多いか少ないかを判定する。再送平均回数が最大再送平均回数「Max_HARQ_Re-transmission」より少ない場合、ＳＴ４４０に移行し、再送平均回数が最大再送平均回数「Max_HARQ_Re-transmission」より多い場合、ＳＴ９２０に移行する。
【００６８】
ＳＴ９２０では、移動局のギャップ変更部１２５が、固定スケジューリング方法を動的スケジューリング方法に変更する。この変更により、基地局は無線リソースを移動局に動的に割り当てることができるようになる。したがって、移動局はＳＴ４４０において動的無線リソースの割り当てによるギャップパターン設定を行う。
【００６９】
ＳＴ９３０では、移動局のギャップ変更部１２５が、測定通知の指示などの通知信号を受信するまで現在のギャップ長割り当てに関するギャップオフ期間「G_Off_Duration」を設定することなく、動的スケジューリング方法を引き続き設定する。
【００７０】
ＳＴ９４０では、移動局のギャップ変更部１２５が、動的スケジューリング方法から固定スケジューリング方法に変更し、再実行する。この変更により、基地局は無線リソースを移動局に固定的に割り当てることができるようになる。
【００７１】
図１１は、移動局がスケジューリング方法を変更及び再実行する他の手順を示すフロー図である。ただし、ここでは、図４と異なる点についてのみ説明する。
【００７２】
ＳＴ４１０では、移動局の受信部１０５が最大再送平均回数「Max_HARQ_Re-transmission」を受信及び記憶し、ＳＴ４２０では、ギャップ長変更判定部１１５が受信した基準パラメータを満たすか否かを判定する。基準パラメータを満たす場合には、ＳＴ９１０に移行し、基準パラメータを満たさない場合には、ＳＴ４４０に移行する。
【００７３】
ＳＴ９１０では、移動局のギャップ長変更判定部１１５が一定の期間内の再送平均回数が最大再送平均回数「Max_HARQ_Re-transmission」より多いか少ないかを判定する。再送平均回数が最大再送平均回数「Max_HARQ_Re-transmission」より少ない場合、ＳＴ４３０に移行し、再送平均回数が最大再送平均回数「Max_HARQ_Re-transmission」より多い場合、ＳＴ９２０に移行する。
【００７４】
ＳＴ９２０では、移動局のギャップ変更部１２５が、固定スケジューリング方法を動的スケジューリング方法に変更する。この変更により、基地局は無線リソースを移動局に動的に割り当てることができるようになる。さらに、移動局はギャップ変更のためギャップオフ期間「G_Off_Duration」を設定することなく測定を実行する。したがって、移動局はＳＴ４４０において動的無線リソースの割り当てによるギャップパターン設定を行う。
【００７５】
ＳＴ９３０では、移動局のギャップ変更部１２５が、測定通知の指示などの通知信号を受信するまで現在のギャップ長割り当てに関するギャップオフ期間「G_Off_Duration」を設定することなく、動的スケジューリング方法を引き続き設定する。
【００７６】
ＳＴ９４０では、移動局のギャップ変更部１２５が、動的スケジューリング方法から固定スケジューリング方法に変更し、再実行する。この変更により、基地局は無線リソースを移動局に固定的に割り当てることができるようになる。さらに、移動局は、ギャップ変更のためにギャップオフ期間「G_Off_Duration」を設定するか否かにかかわらず測定を実行する。したがって、移動局は、固定無線リソース割り当てによるギャップパターン設定を行う。
【００７７】
このように実施の形態３によれば、一定の期間内の再送平均回数が最大再送平均回数「Max_HARQ_Re-transmission」を越える場合、スケジューリング方法を変更することにより、ギャップ期間以外の全てのタイミングで送受信すると、基地局は移動局がサポートしているサービスを保証するため、より多くの無線リソースを割り当てることができる。これにより、移動局はギャップ変更をすることなくギャップ支援測定を実行するができる。
【００７８】
（実施の形態４）
実施の形態１〜３では、ギャップ長として一つの値のみを用いており、単一のギャップ長を継続して使用すると、再送が連続して失敗する可能性があるため、本発明の実施の形態４では、複数のギャップ長を用いる場合について説明する。
【００７９】
本発明の実施の形態４に係る移動局の構成について、図１２を用いて説明する。図１２において、受信部１０５は、基地局から複数ギャップ長（以下、「複数ギャップパラメータ」ともいう）を含むギャップパターン設定情報を個別制御シグナリングによって受信し、受信した複数ギャップパラメータを複数ギャップ長設定部１０１０に出力する。
【００８０】
複数ギャップ長設定部１０１０は、受信部１０５から出力された複数ギャップパラメータを記憶する。なお、これらの複数ギャップパラメータは、長いギャップ長、短いギャップ長、２つの異なるギャップ長間のギャップ間隔、連続した同じ２つのギャップ長間のギャップ間隔及びギャップ開始時間を含む。複数ギャップ長設定部１０１０は、これらの記憶した複数ギャップパラメータをギャップパターン設定のためギャップパターン設定部１２０に出力する。
【００８１】
図１３は、基地局が、複数ギャップパラメータを含むギャップパターン設定情報を個別制御シグナリングによって移動局に送信する様子を示す図である。
【００８２】
基地局は、RRC制御シグナリングを介してギャップ開始を移動局に通知することによって、ギャップパターンを開始する。移動局は、これらの制御情報を受信すると、このギャップ開始信号を識別し、ギャップパターンを作成する。
【００８３】
移動局は、複数ギャップパラメータに基づいて、長いギャップ長と、基地局によって設定されたギャップパターン系列内の２つの連続した短いギャップ長とを設定する。この複数のギャップパラメータの組み合わせを有することによって、移動局は測定を実行するために適切なギャップ割り当てとなっている。同様に、移動局が利用可能な無線リソースを有する期間、移動局は再送をサポートする。
【００８４】
図１４は、本発明の実施の形態４に係る移動局の他の構成を示すブロック図である。ここでは、移動局用のギャップパターン内で複数のギャップ長を使用し、かつ、ギャップ長を変更する場合について説明する。ただし、図１４が図１と異なる点は、ギャップ設定部１１０を複数ギャップ長設定部１０１０に変更した点である。
【００８５】
図１４において、受信部１０５は、基地局から複数ギャップ長（以下、「複数ギャップパラメータ」ともいう）を含むギャップパターン設定情報を個別制御シグナリングによって受信し、受信した複数ギャップパラメータを複数ギャップ長設定部１０１０に出力する。
【００８６】
複数ギャップ長設定部１０１０は、受信部１０５から出力された複数ギャップパラメータを記憶する。なお、これらの複数ギャップパラメータは、長いギャップ長、短いギャップ長、２つの異なるギャップ長間のギャップ間隔、連続した同じ２つのギャップ長間のギャップ間隔及びギャップ開始時間を含む。複数ギャップ長設定部１０１０は、これらの記憶した複数ギャップパラメータをギャップ長変更判定部１１５に出力する。
【００８７】
図１５は、基地局が、複数ギャップパラメータを含むギャップパターン設定情報を個別制御シグナリングによって移動局に送信し、かつ、ギャップ長を変更する様子を示す図である。
【００８８】
ここでは、基地局は、複数ギャップパラメータ及び再送平均回数パラメータを含むギャップパターン設定情報を個別制御シグナリングによって移動局に送信する。この複数ギャップパラメータと再送平均回数パラメータは、複数ギャップ長設定部１０１０で処理される。
【００８９】
基地局は、RRC制御シグナリングを介してギャップ開始を移動局に通知することによって、ギャップパターンを開始する。移動局は、これらの制御情報を受信すると、このギャップ開始信号を識別し、ギャップパターンを作成する。
【００９０】
移動局は、再送平均回数パラメータに基づいて、現在の複数ギャップ長を変更するか否かを決定する。一定の期間内の再送平均回数が再送平均回数パラメータよりも多い場合、移動局は各ギャップ長に対してギャップオフ期間「G_Off_Duration」を設定することによって、複数ギャップ長を変更する。移動局は、複数ギャップパラメータに基づいて、ギャップオフ期間「G_Off_Duration」を設定して、長いギャップ長と２つの連続した短いギャップ長を基地局が設定したギャップパターン系列内で変更する。ギャップオフ期間「G_Off_Duration」を設定する複数ギャップパラメータの組み合わせを有することによって、移動局は適切なギャップ割り当てを有し、再送用リソースの影響を受けることなく測定を実行する。
【００９１】
このように実施の形態４によれば、複数のギャップ長を用いることにより、再送が連続して失敗することを防止することができる。
【００９２】
上記各実施の形態では、本発明をハードウェアで構成する場合を例にとって説明したが、本発明はソフトウェアで実現することも可能である。
【００９３】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９４】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００９５】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【００９６】
本発明にかかる無線通信端末装置及びギャップ割当方法は、測定プロセスを高速に完了すると共に、再送回数を削減することができ、例えば、移動通信システム等に適用できる。
【図面の簡単な説明】
【００９７】
【図１】本発明の実施の形態１に係る移動局の構成を示すブロック図
【図２】本発明の実施の形態１に係る基地局の構成を示すブロック図
【図３】本発明の実施の形態１に係る基地局及び移動局間のシグナリングフローの一例を示す図
【図４】ギャップオフ期間「G_Off_Duration」を用いて、ギャップ長を変更する手順を示すフロー図
【図５】本発明の実施の形態２に係るギャップ割り当てと再送の優先順位付けを行うシグナリングの様子を示す図
【図６】本発明の実施の形態２に係る基地局及び移動局間のシグナリングフローの一例を示す図
【図７】本発明の実施の形態２に係る移動局の構成を示すブロック図
【図８】移動局によるギャップ割り当てと再送の優先順位付け処理の手順を示すフロー図
【図９】本発明の実施の形態３に係る再送平均回数の最大値をシグナリングする様子を示す図
【図１０】移動局がスケジューリング方法を変更及び再実行する手順を示すフロー図
【図１１】移動局がスケジューリング方法を変更及び再実行する他の手順を示すフロー図
【図１２】本発明の実施の形態４に係る移動局の構成を示すブロック図
【図１３】基地局が、複数ギャップパラメータを含むギャップパターン設定情報を個別制御シグナリングによって移動局に送信する様子を示す図
【図１４】本発明の実施の形態４に係る移動局の他の構成を示すブロック図
【図１５】基地局が、複数ギャップパラメータを含むギャップパターン設定情報を個別制御シグナリングによって移動局に送信し、かつ、ギャップ長を変更する様子を示す図
【符号の説明】
【００９８】
１０５  受信部
１１０  ギャップ設定部
１１５  ギャップ長変更判定部
１２０  ギャップパターン設定部
１２５  ギャップ変更部
１３０  測定部
１４０  応答信号生成部
１４５  測定通知部
２１０  測定設定部
２２０  ギャップパターン割当部
２３０  ギャップオフ期間設定部
２４０  測定及びギャップ設定部
２５０  送信部
７１０  ギャップ優先判定部
１０１０  複数ギャップ長設定部
【図１】
0005137547.tif 000002
【図２】
0005137547.tif 000003
【図３】
0005137547.tif 000004
【図４】
0005137547.tif 000005
【図５】
0005137547.tif 000006
【図６】
0005137547.tif 000007
【図７】
0005137547.tif 000008
【図８】
0005137547.tif 000009
【図９】
0005137547.tif 000010
【図１０】
0005137547.tif 000011
【図１１】
0005137547.tif 000012
【図１２】
0005137547.tif 000013
【図１３】
0005137547.tif 000014
【図１４】
0005137547.tif 000015
【図１５】
0005137547.tif 000016